(57)【特許請求の範囲】
【請求項１】
感知器のアドレス設定端子と感知器アドレス設定器の接続端子とを接続して感知器にアドレスの設定を行う感知器アドレス設定器であって、感知器表面に磁性体を設け、感知器アドレス設定器に電磁石と、ヨークと、電磁石への通電手段とを設けて前記ヨークに磁界を形成しておき、感知器のアドレス設定端子と感知器アドレス設定器の接続端子とを接続した時に、前記ヨークと前記磁性体とを介して磁気回路を形成し、感知器と感知器アドレス設定器との固定を行うことを特徴とする感知器アドレス設定器。
【請求項２】
請求項１記載の感知器アドレス設定器において、前記電磁石への通電手段は、感知器のアドレス設定端子と感知器アドレス設定器の接続端子とを接続する時に閉路して電磁石への通電を開始するスイッチ手段を具備することを特徴とする感知器アドレス設定器。
【請求項３】
請求項１記載の感知器アドレス設定器において、感知器アドレス設定器側に、電磁石への通電電流を調整する調整手段を設けて、感知器と感知器アドレス設定器との固定強度を調整可能としたことを特徴とする感知器アドレス設定器。
【請求項４】
感知器のアドレス設定端子と感知器アドレス設定器の接続端子とを接続して感知器にアドレスの設定を行う感知器アドレス設定器において、感知器表面に磁性体を設け、感知器アドレス設定器に磁石と電磁石との磁気並列回路を設けて、感知器のアドレス設定端子と感知器アドレス設定器の接続端子とを接続してアドレス設定を行う時に、磁石と磁性体、及び電磁石と磁性体の磁気回路を形成して感知器と感知器アドレス設定器との固定を行うことを特徴とする感知器アドレス設定器。
【請求項５】
請求項４記載の感知器アドレス設定器において、前記電磁石への励磁電流を制御する電磁石制御部を有することを特徴とする感知器アドレス設定器。
【請求項６】
請求項５記載の感知器アドレス設定器において、前記電磁石制御部は、感知器と感知器アドレス設定器との間で信号の伝送を行うときに、電磁石への励磁電流の供給を開始又は増加させることを特徴とする感知器アドレス設定器。
【請求項７】
請求項６記載の感知器アドレス設定器において、前記電磁石制御部は、感知器と感知器アドレス設定器との間の信号の伝送が終了したときに、電磁石への励磁電流の供給を停止又は減少させることを特徴とする感知器アドレス設定器。
【請求項８】
請求項５記載の感知器アドレス設定器において、前記電磁石制御部は、感知器と感知器アドレス設定器との間の信号の伝送が終了したときに、電磁石の磁気極性が前記磁石の磁気極性と逆の極性となるように電磁石への励磁電流を制御することを特徴とする感知器アドレス設定器。
【請求項９】
請求項５記載の感知器アドレス設定器において、前記電磁石制御部は、感知器アドレス設定器の外部から励磁電流を調整する調整手段を具備することを特徴とする感知器アドレス設定器。
【発明の詳細な説明】
【０００１】
【発明の属する技術分野】
本発明は、感知器にアドレスを設定する感知器アドレス設定器に関する。
【０００２】
【従来の技術】
従来から火災警報装置などに用いられる火災感知器等の各感知器に、固有のアドレスを持たせる場合には、感知器又は感知器ベースに、５ｂｉｔ乃至８ｂｉｔ程度の設定スイッチを有するディップスイッチやロータリー式のディップスイッチ設けて、このディップスイッチにて、各感知器にそれぞれのアドレスを設定することが行われている。
【０００３】
一方、最近の技術としては、感知器にＥＥＰＲＯＭ等のメモリを内蔵させて、電気的にアドレス値を前記ＥＥＰＲＯＭに書き込むことによりアドレスを設定する方法がとられている。また、そのシステムを構成する受信機から、感知器のアドレス値を書き替えることも可能になってきている。しかし、このような場合であっても、工場等においてあらかじめ感知器にアドレス値を書き込んで出荷することは行われていない。その理由は、感知器アドレスが例えば２５６種類ある場合に、例え同じ機能の感知器であっても、アドレス違いの品種が２５６品種となり、当該２５６品種について製造、輸送、及び保管等の管理が必要になり、その管理が煩雑であるからである。
【０００４】
【発明が解決しようとする課題】
以上、述べたように、前記ＥＥＰＲＯＭを具備する感知器であっても、施工工事の現場において、感知器アドレス設定器等を用いて、各感知器にアドレスを書き込む必要がある。
【０００５】
前記感知器アドレス設定器は、感知器のアドレス設定端子に、感知器アドレス設定器の接続端子を接続して、アドレスを書き込むのであるが、感知器と感知器アドレス設定器との接続を確実なものにするために、感知器と感知器ベースとの接続と同様にツイストロック方式を採用すると、接続及び接続状態を外すのに時間を要し、多数の感知器のアドレス設定を行う場合には、アドレス設定の作業に長時間を要していた。
【０００６】
上記のように、アドレス設定用のツールであるアドレス設定器と、感知器との接続は、感知器と感知器ベースとの接続のように恒久的な接続ではなく、簡単に接続できて、アドレス書き込みのために信号のやり取りをする間の数秒間のみ接続された状態を保つことができる接続方法が望まれる。
【０００７】
本発明は上記の問題点を解決するためになされたものであり、その目的とするところは、感知器を接続して電気的にアドレスを書き込む感知器アドレス設定器であって、感知器の取付け取り外しが容易な感知器アドレス設定器を提供することにある。
【０００８】
【課題を解決するための手段】
前記の課題を解決するために、請求項１記載の発明では、感知器のアドレス設定端子と感知器アドレス設定器の接続端子とを接続して感知器にアドレスの設定を行う感知器アドレス設定器であって、感知器表面に磁性体を設け、感知器アドレス設定器に電磁石と、ヨークと、電磁石への通電手段とを設けて前記ヨークに磁界を形成しておき、感知器のアドレス設定端子と感知器アドレス設定器の接続端子とを接続した時に、前記ヨークと前記磁性体とを介して磁気回路を形成し、感知器と感知器アドレス設定器との固定を行う。
【０００９】
請求項２記載の発明では、前記電磁石への通電手段は、感知器のアドレス設定端子と感知器アドレス設定器の接続端子とを接続する時に閉路して電磁石への通電を開始するスイッチ手段を具備する。
【００１０】
請求項３記載の発明では、感知器アドレス設定器側に、電磁石への通電電流を調整する調整手段を設けて、感知器と感知器アドレス設定器との固定強度を調整可能とする。
【００１１】
請求項４記載の発明では、感知器のアドレス設定端子と感知器アドレス設定器の接続端子とを接続して感知器にアドレスの設定を行う感知器アドレス設定器において、感知器表面に磁性体を設け、感知器アドレス設定器に磁石と電磁石との磁気並列回路を設けて、感知器のアドレス設定端子と感知器アドレス設定器の接続端子とを接続してアドレス設定を行う時に、磁石と磁性体、及び電磁石と磁性体の磁気回路を形成して感知器と感知器アドレス設定器との固定を行う。
【００１２】
請求項５記載の発明では、前記電磁石への励磁電流を制御する電磁石制御部を有する。
【００１３】
請求項６記載の発明では、前記電磁石制御部は、感知器と感知器アドレス設定器との間で信号の伝送を行うときに、電磁石への励磁電流の供給を開始又は増加させる。
【００１４】
請求項７記載の発明では、前記電磁石制御部は、感知器と感知器アドレス設定器との間の信号の伝送が終了したときに、電磁石への励磁電流の供給を停止又は減少させる。
【００１５】
請求項８記載の発明では、前記電磁石制御部は、感知器と感知器アドレス設定器との間の信号の伝送が終了したときに、電磁石の磁気極性が前記磁石の磁気極性と逆の極性となるように電磁石への励磁電流を制御する。
【００１６】
請求項９記載の発明では、前記電磁石制御部は、感知器アドレス設定器の外部から励磁電流を調整する調整手段を具備する。
【００１７】
【発明の実施の形態】
本発明の第１の実施の形態を図１乃至図６に基づいて、第２の実施の形態を図７及び図８に基づいて詳細に説明する。
【００１８】
〔第１の実施の形態〕
火災感知器等の感知器２は、受信機（図示せず）との間で時分割多重伝送等による伝送手段により信号の送受信を行うものである。感知器２は、受信機から識別できるように、各感知器２毎に固有のアドレスを設定しておく必要がある。感知器アドレス設定器１は、上記の目的のために、各感知器２毎に固有のアドレスを設定するものである。
【００１９】
感知器アドレス設定器１は、感知器２のボディ２０に設けたアドレス設定用端子２１，２１と、感知器アドレス設定器１の接続端子１０，１０とを接続して、感知器アドレス設定器１から、感知器２内部に有するＥＥＰＲＯＭ（図示せず）に、各感知器固有のアドレスを記憶させる。
【００２０】
感知器アドレス設定器１は、合成樹脂製のケース３を有し、片手で携帯できる程度の大きさにしてある。図２において、ケース３のアドレス設定操作部を有する面は、角部がやや丸みを帯びた略長方形をしており、側面から見ると図３に示すように逆Ｌ字形をしている。また、感知器アドレス設定器１の先端部は、図４に示すように長方形の一方側を突出させて成形した円弧面部４を備えた形状にしてある。
【００２１】
また図１及び図４に示すように感知器アドレス設定器１はケース３の先端部の面に、感知器２のアドレス設定端子２１，２１を接続するための、接続端子１０，１０を具備している。また、感知器アドレス設定器１は図３に示すように電源スイッチ３０を側面に有し、電池ケース蓋５の内部には、乾電池又は二次電池を内蔵して駆動電源としている。更に、図２に示すように感知器アドレス設定器１の前面の操作部には、電源表示灯３１と、電池切れ表示灯３２を具備し、アドレス番号入力用のテンキー３３、アドレス書き込みキー３４、アドレス読み出しキー３５を有し、アドレス番号表示部３６、表示部消去キー３７を具備している。
【００２２】
感知器アドレス設定器１は、前記のように感知器アドレス設定器１の先端部に、感知器２のアドレス設定用端子２１，２１に接続する接続端子１０，１０を具備している。この接続端子１０，１０は、せん刀状に形成したアドレス設定用端子２１，２１が挿入されることにより接続される。感知器アドレス設定器１の端部の円弧面部４（図４参照）は、感知器２の前記アドレス設定端子２１，２１を有する面側に形成した凹部２９（図１参照）に嵌まり込む寸法、形状にしてあり、感知器２の周縁の突出壁２２で円弧面部４を支持するようにしてある。即ち、図４のＭ１  寸法と、図１（ｂ）のＭ２  寸法が略一致し、同様に半径Ｒ１  と半径Ｒ２  が略一致するようにしてある。
【００２３】
更に、感知器アドレス設定器１の円弧面部４の幅Ｌ１  は、感知器２の凹部２９から立設する突出壁２２に形成したロック爪部２２ａ，２２ａの間隔Ｌ２  と、略一致するようにしてある。尚、前記ロック爪部２２ａ，２２ａは、感知器２と感知器ベース（図示せず）を係合する際にロック作用をするものである。
【００２４】
上記の構成により、感知器アドレス設定器１と感知器２とは電気的接続とともに機械的にも保持されるのであるが、アドレス設定端子２１，２１と接続端子１０，１０の接続が緩い場合には、感知器２の自重により、感知器アドレス設定器１から、感知器２が抜け落ちる場合がある。
【００２５】
そこで、前記感知器アドレス設定器１の接続端子１０，１０と、感知器２のアドレス設定端子２１，２１の接続固定を補強する構成について述べる。
【００２６】
図５に示すように、感知器アドレス設定器１の先端部には、電磁石４０が内装状態で配設してあり、そのコイル４１へ通電するための電源部４２を有している。電源部４２と電池等で構成する。そして電磁石４０のＮ極４０ａ側、及びＳ極４０ｂ側にはそれぞれ磁気回路構成用の２枚のヨーク４３ａ，４３ｂがその先端を外方へ突出させて形成してある。尚、４０Ｔは鉄心である。更に、前記コイル４１と、電源部４２との間にはスイッチ手段４４が挿入してある。このスイッチ手段４４は、２つの端子４４ａ，４４ｂを有し、感知器２がアドレス設定のために当接されるときに、例えば後述する感知器２の磁性体２３が、上記端子４４ａ，４４ｂ間を閉路するようにしてある。また図６に示すように端子４４ａ，４４ｂは、前記磁性体２３の押圧により、感知器アドレス設定器１の内部に反発力を残しながら引っ込むように構成してある。
【００２７】
そして、図１に示すように感知器２の平坦部２８には、薄板状の鉄材等で形成した前記磁性体２３が、半埋め込み状態で設けてあり、磁性体２３の表面が露出するようになっている。図１（ａ）に示すように感知器アドレス設定器１の側面３には、電磁石４０への通電電流を調整する調整ボリウム４５が設けてある。
【００２８】
上記の構成において、図５に示すように、感知器２にアドレスを設定するために、感知器２のアドレス設定端子２１，２１と感知器アドレス設定器１の接続端子１０，１０とを接続すると、電極４４ａ，４４ｂ間が感知器２の磁性体２３により導通して、感知器アドレス設定器１の電磁石４０（鉄心４０Ｔ）→ヨーク４３ａ→感知器２の磁性体２３→感知器アドレス設定器１のヨーク４３ｂ→電磁石４０（鉄心４０Ｔ）の閉ループによる磁気回路が形成され、感知器２と感知器アドレス設定器１には互いに吸引力が働き引きつけあう。上記の吸引力により、前記の端子接続を補完して感知器２と感知器アドレス設定器２とがより強く固定され、アドレス設定作業中に感知器２が落下することを防止できる。
【００２９】
上記の感知器２を取り付けた状態において、感知器アドレス設定器１の操作部の各キーを使用して、感知器２にアドレスを書き込む作業を行うことができる。また感知器アドレス設定器１から感知器２を取り外す場合には、感知器アドレス設定器１を片手で保持し、他方の手で感知器２を掴んで、感知器アドレス設定器１から感知器２を引き離せば、簡単に感知器２を取り外すことができる。
【００３０】
本実施の形態では、感知器２側の磁性体２３は、埋め込み状態で形成してあるので、感知器２を感知器ベースに取り付ける際に、磁性体２３が邪魔になることがなく、感知器ベースの形状を変更する必要がない。尚、感知器２と感知器アドレス設定器１との固定強度は、調整ボリウム４５を調整することにより、電磁石４０への通電電流又は通電電圧を調整することにより行うことができる。
【００３１】
〔第２の実施の形態〕
図７及び図８に示す第２の実施の形態は、感知器２を吸引する手段として、感知器アドレス設定器１内に、永久磁石５０を配設している。永久磁石５０はヨーク４３ａ，４３ｂの間に配設する。更に電磁石６０を、磁気回路として前記永久磁石５０に対して並列に配設している。電磁石６０は、電磁石制御部６５により制御するようにしてある。電磁石制御部６５は、電磁石６０への通電開始、終了の制御を行うとともに、ボリウム６１による調整により通電電流の大きさを変更する。前記永久磁石５０は、感知器２の仮保持手段として機能し、電磁石６０は、感知器２と感知器アドレス設定器１との間で信号のやり取りを行うときに、通電を開始（又は増加）させて感知器２と感知器アドレス設定器１との固定を強固なものとする。
【００３２】
感知器アドレス設定器１では、感知器２を接続した後、感知器２へのアドレス書き込みに先立って例えばアドレス番号入力用のテンキー３３等を操作する。このアドレス番号入力用のテンキー３３の押圧があったときに、この信号を電磁石制御部６５に取り込んで、電磁石制御部６５は、電磁石６０に通電を開始して、感知器２の固定を強固なものとする。その後アドレス書き込みキー３４の操作で、信号のやり取りを開始するのである。信号の伝送時には、接続部の接触不安定は回避できるので、伝送エラーをなくすることができる。
【００３３】
他の方法としては、アドレス書き込みキー３４の押圧操作により、電磁石６０に通電を開始し、アドレスの伝送は前記押圧操作から１秒程度遅らせて行うようにしてもよい。
【００３４】
尚、感知器２からアドレスを読みだす場合には、上記の書き込みキー３４に替えて、アドレス読み出しキー３５の操作後において、電磁石６０に通電を開始し、その後感知器２にアドレスの伝送要求をするようにしてもよい。
【００３５】
そして、感知器アドレス設定器１での信号のやり取りが終了すれば、電磁石制御部６５は、励磁電流の供給を中止又は減少させるようにしてあり、感知器アドレス設定器１は感知器２から容易に取り外すことができるのである。
【００３６】
尚、上記の信号のやり取りが終了したときに、電磁石制御部６５において、励磁電流を永久磁石５０と逆方向の極性となるようにコントロールすれば、永久磁石５０の磁力を打ち消し、感知器２を取り外しやすくなる。
【００３７】
更に、ボリウム６１による調整により通電電流の大きさを制御することができるので、感知器２の重量によって、使用者が固定の強度を調整できる。
【００３８】
【発明の効果】
請求項１記載の発明によれば、感知器アドレス設定器に感知器を、容易に取り付けることができ、かつアドレスの設定中は感知器が脱落することがないという効果がある。更にアドレス設定後の感知器の取り外しも容易である。また電磁石を使用しているので、電源が充分に供給されていれば、感知器の固定強度が低下することがないという効果を奏する。
【００３９】
請求項２記載の発明によれば、請求項１記載の発明の効果に加えて、感知器アドレス設定器に感知器を接続するときに、始めて電磁石に通電が開始するので、それまでの時間の、節電が可能であり、別途のスイッチを設ける必要がないという効果を奏する。
【００４０】
請求項３記載の発明によれば、請求項１記載の発明の効果に加えて、感知器と感知器アドレス設定器との固定強度を任意に調整できるので、感知器の重量に応じて使用者が固定強度を調整できるという効果を奏する。
【００４１】
請求項４記載の発明によれば、感知器と感知器アドレス設定器との固定を、磁石と電磁石とを用いて行うので、確実な固定が可能となるという効果を奏する。
【００４２】
請求項５記載の発明によれば、請求項４記載の発明の効果に加えて、電磁石制御部を有するので、磁石の吸引による固定に加えて、必要なときに電磁石の吸引による固定を加えることができるので、確実な固定が行え、かつ節電を行うことができるという効果を奏する。
【００４３】
請求項６記載の発明によれば、請求項５記載の発明の効果に加えて、信号の伝送を行うときに電磁石による固定を行うので、接触信頼性が特に必要なときに固定を確実にすることができるという効果を奏する。
【００４４】
請求項７記載の発明によれば、請求項６記載の発明の効果に加えて、信号の伝送が終了したときに、電磁石による固定を解除又は減少させるので、感知器の取り外しが容易であるという効果を奏する。
【００４５】
請求項８記載の発明によれば、請求項５記載の発明の効果に加えて、磁石の吸引力を打ち消すことができるので、感知器の取り外しが容易であるという効果を奏する。
【００４６】
請求項９記載の発明によれば、請求項５記載の発明の効果に加えて、感知器と感知器アドレス設定器との固定強度を調整できるので、感知器の重量に応じて使用者が固定強度を調整できるという効果を奏する。
【図面の簡単な説明】
【図１】本発明の第１の実施の形態の感知器アドレス設定器を感知器に接続する様子を示す図であり、（ａ）は斜視図、（ｂ）は感知器の寸法等を補足説明する上面図である。
【図２】同上の感知器アドレス設定器を示す正面図である。
【図３】同上の感知器アドレス設定器を示す側面図である。
【図４】同上の感知器アドレス設定器を示す平面図である。
【図５】同上の感知器アドレス設定器を感知器に接続する様子を示す図である。
【図６】同上の要部を示す図である。
【図７】本発明の第２の実施の形態の感知器アドレス設定器の斜視図である。
【図８】同上の感知器アドレス設定器を感知器に接続する様子を示す図である。
【符号の説明】
１        感知器アドレス設定器
２      感知器
１０    接続端子
２１    アドレス設定端子
２３    磁性体
４０    電磁石
４３ａ  ヨーク
４３ｂ  ヨーク
４４    スイッチ手段
４５    調整手段
５０    磁石
６０    電磁石
６１    調整手段
６５    電磁石制御部
【図１】
0003632429.tif 000002
【図２】
0003632429.tif 000003
【図３】
0003632429.tif 000004
【図４】
0003632429.tif 000005
【図５】
0003632429.tif 000006
【図６】
0003632429.tif 000007
【図７】
0003632429.tif 000008
【図８】
0003632429.tif 000009